(57)【要約】【課題】ソフトウェアで電池残量をチェックしてＩＣカードロックすること。【解決手段】電子マネー機能を持つＩＣカードを内蔵した携帯端末は、ソフトウェアにより電池使用可能時間を周期的にチェックし、前記電池使用可能時間が設定された閾値になるとＩＣカードのロックを自動設定し、充電されるとロックを表示し、認証があった後にそのロックを解除する。【選択図】図１
2008269019.tif 000002
【特許請求の範囲】
【請求項１】
電子マネー機能を持つＩＣカードを内蔵した携帯端末であって、
ソフトウェアにより電池使用可能時間を周期的にチェックし、前記電池使用可能時間が設定された閾値になるとＩＣカードのロックを自動設定し、充電されるとロックを表示し、認証があった後にそのロックを解除することを特徴とする携帯端末。
【請求項２】
前記認証は暗証番号認証および／または生体認証であることを特徴とする請求項１記載の携帯端末。
【請求項３】
電子マネー機能を持つＩＣカードを内蔵した携帯端末のロック方法であって、
ソフトウェアにより電池使用可能時間を周期的にチェックし、前記電池使用可能時間が設定された閾値になるとＩＣカードのロックを自動設定し、充電されるとロックを表示し、認証があった後にそのロックを解除することを特徴とする携帯端末のロック方法。
【請求項４】
前記認証は暗証番号認証および／または生体認証であることを特徴とする請求項３記載の携帯端末のロック方法。
【請求項５】
コンピュータに請求項１記載の機能を実現させることを特徴とするプログラム。
【請求項６】
コンピュータに請求項２記載の機能を実現させることを特徴とするプログラム。
【発明の詳細な説明】
【技術分野】
【０００１】
本発明は、電子マネー付き携帯端末のセキュリティ技術に関する。
【背景技術】
【０００２】
従来、携帯電話会社がサービスとして設定している遠隔ロック、おまかせロックがあるが、携帯電話機の電池が切れた後、携帯電話機を紛失し、その電話がＩＣカードロック設定していない場合は、ＩＣカードロックの設定ができないため他人に電子マネーを使用されてしまう可能性があった。また、ロックしようと思っても携帯電話の電源がＯＮしていないのでＩＣカードロックを設定することはできなかった。
【０００３】
セキュリティとして自動ロック機能があるが、この機能は専用のキーを身に着けることで、自分が携帯電話機から離れると自動ロックがかかり、近づくと自動解除する機能だが、キーを常に身につけなければならず、携帯するキー自体も小型ではないため、携帯性が悪かった。
【０００４】
処理が終わったら自動的にロックする機能は、ごく稀ではあるがＩＣカードロックする前に電池が切れると確実にロックされたか不明であり、また、ロックされない可能性もあり、確実性がなかった。
【０００５】
さらに、ＩＣカードロックを実施する前に携帯電話の電源が切れてしまった場合、紛失した場合は誰にでも使用されるおそれがあった。
【０００６】
ここで、外部リーダ・ライタとの間で非接触通信を行う非接触通信部及びこの非接触通信部を制御する通信制御部を備える携帯通信装置において、電源から通信制御部への出力電圧を検出する電源制御部と、出力電圧が低下するか電源が切れると、予め設定された再使用操作を行うまで、電源制御部の制御により非接触通信部と通信制御部との接続を遮断して使用禁止状態を設定する経路遮断部とを備えることで、非接触ＩＣカード機能を有する携帯電話機を紛失したときに第三者による非接触ＩＣカード機能の不正使用を防止することのできる技術が提案されている（例えば、特許文献１参照）。
【特許文献１】特開２００５−１１７１１６号公報
【発明の開示】
【発明が解決しようとする課題】
【０００７】
しかしながら、上述の従来技術では、ハードウェア構成で電池の電圧レベルを監視してロックを実現しており、ソフトウェアで電池残量を時間表示させ、リアルタイムに監視して設定時間でＩＣカードロックすることはできなかった。
【０００８】
本発明は、以上のような課題を解決するためになされたもので、ソフトウェアで電池残量をチェックしてＩＣカードロックすることを目的とする。携帯電話機を紛失したときもロックを解除しない限りは使用することができないので、誰でも使用することができなくなり、高セキュリティで安心である。
【課題を解決するための手段】
【０００９】
本発明は、電子マネー機能を持つＩＣカードを内蔵した携帯端末であって、
ソフトウェアにより電池使用可能時間を周期的にチェックし、前記電池使用可能時間が設定された閾値になるとＩＣカードのロックを自動設定し、充電されるとロックを表示し、認証があった後にそのロックを解除する携帯端末を提供する。
【００１０】
また、本発明は、電子マネー機能を持つＩＣカードを内蔵した携帯端末のロック方法であって、
ソフトウェアにより電池使用可能時間を周期的にチェックし、前記電池使用可能時間が設定された閾値になるとＩＣカードのロックを自動設定し、充電されるとロックを表示し、認証があった後にそのロックを解除する携帯端末のロック方法を提供する。
【発明の効果】
【００１１】
本発明によれば、ソフトウェアで電池残量をチェックしてＩＣカードロックすることができる。
【発明を実施するための最良の形態】
【００１２】
以下、本発明の実施の形態について図面を参照して詳細に説明する。なお、電子マネーの機能を有する端末であれば、携帯電話機およびモバイル端末等すべてに適用可能である。
【００１３】
本実施の形態における携帯端末のロック方法である携帯電話機ＩＣカードロックの設定手順を以下に説明する。
【００１４】
まず、携帯電話で電池の使用可能時間を表示する。電池残量を３段階のレベル表示だけではなく、使用可能時間も表示する。使用可能時間は、確認した時点での使用可能時間を表示する。
【００１５】
例１：残量のレベル表示、同時に使用可能時間の「＊＊Ｈ＊＊Ｍ＊＊Ｓ」を表示する。
【００１６】
次に、ＩＣカードロック設定画面を開く（表示する）。
【００１７】
そして、ＩＣカードロックする時間閾値(ＩＣカードロックする時間)を設定する。
【００１８】
例２：使用可能時間が１Ｈと表示され、その１０分前にＩＣカードロックしたい場合は、設定する時間閾値を「００Ｈ１０Ｍ００Ｓ」と設定する。
【００１９】
さらに、ＩＣカード自動ロック設定後は、携帯電話機は使用時間を監視する。携帯電話機は内部のタイマーで使用可能時間を監視し、その時の使用可能時間と設定した時間閾値を比較して、監視した時点の使用可能時間が設定した時間閾値以内かチェックする。（例１の場合は１０分（００Ｈ１０Ｍ００Ｓ）以内かチェックする。）なお、使用可能時間の監視はタイムリーに監視もしくは数秒間隔で監視する。タイムリーに監視するほど制度は高くなる。
【００２０】
最後に、ＩＣカード自動ロックを実行する。使用可能時間を監視して、時間閾値以内になったら、ＩＣカードロックを設定する。通話中に電池が切れても、通話中も監視しているので設定していればＩＣカードロックすることは可能である。
【００２１】
ＯＣカードロック設定のフローチャートを図１に、携帯電話を充電した後のＩＣカードロック解除のフローチャートを図２に示し、各図を参照して本実施の形態の動作を説明する。
【００２２】
図１を参照すると、まず、使用者は使用可能時間を確認する（Ｓ１０１）。携帯電話機のメニュー画面から、"電池残量を確認画面"を開き、電池残量を確認する。携帯電話機の画面には、電池残量レベル表示とその時の使用可能時間を表示する。
【００２３】
次に、ＩＣカード自動ロックを設定する（Ｓ１０２）。
【００２４】
そして、セキュリティ設定からＩＣカードロック設定画面を表示する（Ｓ１０３）。携帯電話機のメニュー画面から、"ＩＣカードロック設定画面"を開く。携帯電話機の画面には、"その時の使用可能時間"の表示、"ＩＣカードロックを設定する時間の入力部"が表示される。
【００２５】
ＩＣカードロックを実行する時間閾値を入力する（Ｓ１０４）。入力する時間閾値は、"携帯電話機の電池がなくなる前のＩＣカードロックしたい任意の時間"を入力する。入力したらＩＣカード自動ロックの設定は完了する。
【００２６】
ＩＣカード自動ロック設定後、携帯電話は使用可能時間の監視を開始する（Ｓ１０５）。
【００２７】
携帯電話機は内部のタイマーで使用可能時間を監視し、その時の使用可能時間と設定した時間閾値を比較して、監視した時点の使用可能時間が設定した時間閾値以内かチェックする（Ｓ１０６）。（上記の例１の場合は１０分（００Ｈ１０Ｍ００Ｓ）以内かチェックする。）使用可能時間の監視はタイムリーに監視もしくは数秒間隔で監視する。タイムリーに監視するほど精度は高い。
【００２８】
Ｓ１０６でＹｅｓの場合、ＩＣカード自動ロックを実行する（Ｓ１０７）。使用可能時間を監視して、時間閾値以内になったら、ＩＣカードロックを設定する。通話中に電池が切れても、通話中も監視しているので設定していればＩＣカードロックすることは可能である。但し、携帯電話機の電源が切れ、ロックされてしまうと電子マネーは使用できない。
【００２９】
充電後、携帯電話機の電源をＯＮするとＩＣカードロック中の表示をするので、暗証番号入力後（指紋認証、顔面認証でも可）、設定を解除する。充電後、設定を解除しないと電子マネーは使用できないが、紛失したときに他人に使用されることはない。
【００３０】
上述の本実施の形態によれば、携帯電話機の電池が切れるとＩＣカードロックは設定できないが、携帯電話機の電池がなくなる直前に使用者が任意に設定した時間にＩＣカード自動ロックすることで、例え電池が切れた携帯電話機を紛失してもＩＣカードロックしているので他人に使用されることはない。
【００３１】
また、セキュリティのサービスとして遠隔ロック、おまかせロックなどあるが、携帯電話機の電源が入っていないとＩＣカードロックの設定はできないため、電池が切れる直前にＩＣカードロックすることで確実にロックされる。
【００３２】
また、携帯電話機自体に機能を設けるので、携帯電話機以外に持ち歩く機器は不要である。
【００３３】
なお、上述する各実施の形態は、本発明の好適な実施の形態であり、本発明の要旨を逸脱しない範囲内において種々変更実施が可能である。例えば、携帯電話機のロック機能を実現するためのプログラムを装置に読込ませて実行することにより装置の機能を実現する処理を行ってもよい。さらに、そのプログラムは、コンピュータ読み取り可能な記録媒体であるＣＤ−ＲＯＭまたは光磁気ディスクなどを介して、または伝送媒体であるインターネット、電話回線などを介して伝送波により他のコンピュータシステムに伝送されてもよい。
【図面の簡単な説明】
【００３４】
【図１】本発明の実施の形態に係るＩＣカードロック設定のフローチャートである。
【図２】本発明の実施の形態に係るＩＣカードロック解除のフローチャートである。
【図１】
2008269019.tif 000003
【図２】
2008269019.tif 000004